(57)【要約】  手術部位を潅流および吸引する水晶体超音波乳化吸引用流体システムは、無菌液リザーバと、上記無菌液リザーバから上記手術部位まで延在すべく構成された潅流経路と、上記手術部位から延在すべく構成された吸引経路とを含む。上記システムは、上記潅流経路および上記吸引経路の両方に対して組み合わされた単一の流れ制御ポンプ・ヘッドも含む。上記流れ制御ポンプ・ヘッドは、潅流用流体を上記手術部位に向けて推進する様式で上記潅流経路を加圧すると同時に、上記手術部位から廃液を真空引きする様式で上記吸引経路を加圧すべく当該システム内に配置される。【選択図】図３
2013533013.tif 000002
【特許請求の範囲】
【請求項１】
手術部位を潅流および吸引する水晶体超音波乳化吸引用流体システムであって、
無菌液リザーバと、
前記無菌液リザーバから前記手術部位まで延在すべく構成された潅流経路と、
前記手術部位から延在すべく構成された吸引経路と、
前記潅流経路および前記吸引経路の両方に対して組み合わされた単一の流れ制御ポンプ・ヘッドであって、潅流用流体を前記手術部位に向けて推進する様式で前記潅流経路を加圧すると同時に、前記手術部位から廃液を真空引きする様式で前記吸引経路を加圧すべく該流体システム内に配置されるという単一の流れ制御ポンプ・ヘッドとを備える、
水晶体超音波乳化吸引用流体システム。
【請求項２】
前記潅流経路に対して流体的に組み合わされるとともに、該潅流経路における圧力を変化させるべく構成された潅流流れ制御用シャント弁と、
前記吸引経路に対して流体的に組み合わされるとともに、該吸引経路における圧力を変化させるべく構成された吸引流れ制御用シャント弁とを更に備える、請求項１に記載の水晶体超音波乳化吸引用流体システム。
【請求項３】
前記潅流流れ制御用シャント弁および吸引流れ制御用シャント弁に対して接続されたコントローラであって、前記各シャント弁を調整することで、夫々の潅流経路および吸引経路内で事前設定圧力を維持するというコントローラを更に備える、請求項２に記載の水晶体超音波乳化吸引用流体システム。
【請求項４】
前記潅流流れ制御用シャント弁を前記無菌液リザーバに対して接続する圧力解放ラインであって、該流れ制御用シャント弁は、潅流における圧力が所定レベルを超えたときに前記流れ制御ポンプ・ヘッドからの流体流れを制御して当該圧力解放ラインに至らせるべく配置される、という圧力解放ラインを更に備える、請求項２に記載の水晶体超音波乳化吸引用流体システム。
【請求項５】
前記吸引流れ制御用シャント弁を流体供給源および排出管の一方に対して接続する真空圧力解放ラインであって、前記吸引流れ制御用シャント弁は、前記吸引経路における圧力が所定レベル未満に低下したときに当該真空圧力解放ラインからの流体を制御して前記吸引経路に至らせるべく配置される、という真空圧力解放ラインを更に備える、請求項４に記載の水晶体超音波乳化吸引用流体システム。
【請求項６】
前記潅流経路に対して組み合わされるとともに、該潅流経路内における流体のパラメータを検出すべく構成された潅流圧力センサと、
前記吸引経路に対して組み合わされるとともに、該吸引経路内における流体のパラメータを検出すべく構成された吸引圧力センサとを更に備える、請求項１に記載の水晶体超音波乳化吸引用流体システム。
【請求項７】
前記潅流圧力センサおよび吸引圧力センサは、夫々の潅流経路および吸引経路内の圧力を検出すべく配置された圧力センサから成る、請求項６に記載の水晶体超音波乳化吸引用流体システム。
【請求項８】
前記単一の流れ制御ポンプ・ヘッドは、前記潅流経路を通して前記手術部位へ、且つ、該手術部位から前記吸引経路を通し、同一のモータ速度にて流体を導向する蠕動ポンプのヘッドである、請求項１に記載の水晶体超音波乳化吸引用流体システム。
【請求項９】
前記潅流経路と前記吸引経路とを接続する圧力解放ラインを備える、請求項１に記載の水晶体超音波乳化吸引用流体システム。
【請求項１０】
前記流れ制御ポンプ・ヘッドは、同一のモータ速度にて、前記潅流経路および前記吸引経路の両方を通して流体を圧送すべく構成される、請求項１に記載の水晶体超音波乳化吸引用流体システム。
【請求項１１】
手術部位を潅流および吸引する水晶体超音波乳化吸引用流体システムであって、
前記手術部位まで延在すべく構成された潅流経路と、
前記手術部位から延在すべく構成された吸引経路と、
前記手術部位までの流体流れを調整すべく構成された制御システムであって、
前記潅流経路および前記吸引経路の両方に対して組み合わされた流れ制御ポンプ・ヘッドであって、前記潅流経路および前記吸引経路の両方を通して流体を同時に圧送すべく構成されるという流れ制御ポンプ・ヘッドと、
前記潅流経路および吸引経路の少なくとも一方を通る流れを制御すべく構成された少なくとも一つの流れ制御用シャント弁と、
前記潅流経路および吸引経路の少なくとも一方における流体のパラメータを検出すべく構成された少なくとも一つのセンサと、
前記流れ制御ポンプ・ヘッド、前記少なくとも一つの流れ制御用シャント弁、および、前記少なくとも一つのセンサに対して接続されたコントローラであって、該コントローラは、前記少なくとも一つのセンサから検出されたパラメータを表すデータを受信すべく構造的に構成され、該コントローラはまた、前記少なくとも一つのセンサから受信したデータに基づいて制御信号を前記少なくとも一つの流れ制御用シャント弁に対して伝達すべく構造的に配置されるというコントローラと、
を備えるという制御システムと、
を備える、水晶体超音波乳化吸引用流体システム。
【請求項１２】
前記少なくとも一つの流れ制御用シャント弁は、
前記潅流経路を通る流れを制御すべく構成された潅流流れ制御用シャント弁と、
前記吸引経路を通る流れを制御すべく構成された吸引流れ制御用シャント弁とを備える、請求項１１に記載の水晶体超音波乳化吸引用流体システム。
【請求項１３】
前記少なくとも一つのセンサは、
前記潅流経路内における流体のパラメータを検出すべく構成された潅流圧力センサと、
前記吸引経路内における流体のパラメータを検出すべく構成された吸引圧力センサとを備える、請求項１１に記載の水晶体超音波乳化吸引用流体システム。
【請求項１４】
前記潅流圧力センサおよび吸引圧力センサは、夫々の潅流経路および吸引経路内の圧力を検出すべく配置された圧力センサから成る、請求項１３に記載の水晶体超音波乳化吸引用流体システム。
【請求項１５】
無菌液リザーバと、
潅流流れ制御用シャント弁を前記無菌液リザーバに対して接続する圧力解放ラインであって、該潅流流れ制御用シャント弁は、潅流における圧力が所定レベルを超えたときに前記流れ制御ポンプ・ヘッドからの流体流れを制御して当該圧力解放ラインに至らせるべく配置されるという圧力解放ラインとを備える、
請求項１１に記載の水晶体超音波乳化吸引用流体システム。
【請求項１６】
流体供給源および排出管の一方と、
吸引流れ制御用シャント弁を前記流体供給源および排出管の一方に対して接続する真空圧力解放ラインであって、該吸引流れ制御用シャント弁は、前記吸引経路における圧力が所定レベル未満に低下したときに当該真空圧力解放ラインからの流体流れを制御すべく配置される、という真空圧力解放ラインとを更に備える、請求項１１に記載の水晶体超音波乳化吸引用流体システム。
【請求項１７】
切断用ニードルを含む超音波振動ハンドピースであって、眼球内の水晶体を乳化すべく構成されるという超音波振動ハンドピースを備える超音波生成器サブシステムと、
流体サブシステムであって、
無菌液リザーバと、
前記超音波振動ハンドピースに対して組み合わされるとともに、前記無菌液リザーバから手術部位まで延在すべく構成された潅流経路と、
前記超音波振動ハンドピースに対して組み合わされるとともに、前記手術部位から延在すべく構成された吸引経路と、
前記潅流経路および前記吸引経路の両方に対して組み合わされた単一の蠕動ポンプ・ヘッドであって、潅流用流体を前記手術部位に向けて推進する様式で前記潅流経路を加圧すべく該システム内に配置されるとともに、前記手術部位から廃液を真空引きする様式で前記吸引経路内に真空を生成すべく当該システム内に配置されるという単一の蠕動ポンプ・ヘッドとを備える、
という流体サブシステムとを備える、
水晶体超音波乳化吸引手術用操作卓。
【請求項１８】
前記潅流経路に対して組み合わされるとともに、前記蠕動ポンプ・ヘッドの下流に配設された潅流流れ制御用シャント弁と、
前記吸引経路に対して組み合わされるとともに、前記蠕動ポンプ・ヘッドの上流に配設された吸引流れ制御用シャント弁と、
前記潅流経路に対して組み合わされる共に該潅流経路内における流体のパラメータを検出すべく構成された潅流圧力センサであって、前記潅流流れ制御用シャント弁の下流に配設されるという潅流圧力センサと、
前記吸引経路に対して組み合わされるとともに該吸引経路内における流体のパラメータを検出すべく構成された吸引圧力センサであって、前記吸引流れ制御用シャント弁の上流に配設されるという吸引圧力センサと、
前記潅流流れ制御用シャント弁および吸引流れ制御用シャント弁に対して接続されるとともに、前記潅流圧力センサおよび吸引圧力センサに対して接続されたコントローラであって、前記潅流圧力センサおよび吸引圧力センサから情報を受信し、且つ、受信した情報に基づいて前記潅流流れ制御用シャント弁および吸引流れ制御用シャント弁に対して制御信号を送信し、夫々の潅流経路および吸引経路内の圧力変更を行うべく構成されるというコントローラと、
を備える、請求項１８に記載の水晶体超音波乳化吸引手術用操作卓。
【請求項１９】
無菌液リザーバおよび排出管の一方と、
前記潅流流れ制御用シャント弁を前記無菌液リザーバおよび排出管の一方に対して接続する圧力解放ラインであって、前記潅流流れ制御用シャント弁は、潅流における圧力が所定レベルを超えたときに前記蠕動ポンプ・ヘッドから当該圧力解放ラインへと流体を導向すべく配置される、という圧力解放ラインとを備える、請求項１８に記載の水晶体超音波乳化吸引手術用操作卓。
【請求項２０】
流体供給源と、
前記吸引流れ制御用シャント弁を前記流体供給源に対して接続する真空圧力解放ラインであって、前記吸引流れ制御用シャント弁は、前記吸引経路における圧力が所定レベル未満に低下したときに当該真空圧力解放ラインから流体を導向すべく配置される、という真空圧力解放ラインとを更に備える、請求項１８に記載の水晶体超音波乳化吸引手術用操作卓。
【請求項２１】
水晶体超音波乳化吸引システムの潅流経路内におけるパラメータを検出する段階と、
水晶体超音波乳化吸引システムの吸引経路内におけるパラメータを検出する段階と、
前記潅流経路および吸引経路を通る流体流れを、該潅流経路および吸引経路の両方に対して組み合わされた単一の流れ制御ポンプ・ヘッドにより制御する段階とを有する、
水晶体超音波乳化吸引システムの流体サブシステムを操作する方法。
【請求項２２】
前記潅流経路に対して組み合わされた潅流流れ制御用シャント弁の状態を調節して、圧力解放ライン内への流体流れを制御する段階を有する、請求項２１に記載の方法。
【請求項２３】
前記吸引経路に対して組み合わされた吸引流れ制御用シャント弁の状態を調節して、前記吸引経路内への真空圧力解放ラインからの流体流れを制御する段階を有する、請求項２２に記載の方法。
【発明の詳細な説明】
【技術分野】
【０００１】
本出願は、2010年6月18日に出願された米国特許出願第12/818,682号の優先権の利益を主張する。
本発明は、水晶体超音波乳化吸引システムに関し、更に詳細には、水晶体超音波乳化吸引手術の間において眼球内の圧力を調整するシステムに関する。
【背景技術】
【０００２】
米国において、手術により治療される白内障水晶体の大部分は、水晶体超音波乳化吸引術と称される手術用技術により治療される。水晶体超音波乳化吸引処置に適した典型的な手術用ハンドピースは、超音波的に駆動される水晶体超音波乳化吸引ハンドピースと、潅流スリーブにより囲繞されて取付けられた中空の切断用ニードルと、電子制御操作卓とから成る。上記ハンドピース・アセンブリは上記制御操作卓に対し、電気ケーブルおよび可撓管材により取付けられる。上記電気ケーブルを通して上記操作卓は、取付けられた上記切断用ニードルに対し、上記ハンドピースにより伝達されるパワー・レベルを変化させる。上記可撓管材は、手術部位に対して潅流用流体を供給するとともに、上記ハンドピース・アセンブリを介して眼球から吸引流体を引き寄せる。
【０００３】
水晶体超音波乳化吸引処置の間において、上記切断用ニードルの先端、および、上記潅流スリーブの端部は、眼球の外側組織における小寸の切開口を介して、該眼球の前眼部内へと挿入される。医師は上記切断用ニードルの先端を眼球の水晶体と接触させることから、振動する先端は水晶体を断片化する。結果的な断片は、処置の間において眼球に対して提供される潅流用流体とともに、上記切断用ニードルの内側ボアを通して眼球から吸い出され、廃棄物用リザーバ内に至る。
【０００４】
上記処置の全体にわたり、潅流用流体は、眼球内へと圧送され、上記潅流スリーブと切断用ニードルとの間を通過し、且つ、上記潅流スリーブの先端にて、および／または、上記潅流スリーブの端部の近傍にて該スリーブ内へと形成された一つ以上のポートもしくは開口から、眼球内へと出射する。この潅流用流体は重要である、と言うのも、それは、乳化された水晶体の除去の間において眼球が倒壊することを阻止するからである。潅流用流体はまた、超音波切断用ニードルの振動により生成された熱から眼球組織を保護する。更に、潅流用流体は、乳化された水晶体の断片を、眼球からの吸引のために懸濁する。
【０００５】
習用のシステムは、点滴用支柱(IV pole)から吊下されて流体が充填された、潅流用流体供給源としてのボトルもしくはバッグを採用している。潅流流量、および、眼球における対応流体圧力は、点滴用支柱の高さを手術部位の上方に制御することにより調整される。たとえば、点滴用支柱を上昇させると、潅流流量が対応して増大するとともに、眼球における流体圧力が対応して増大する結果となる。同様に、点滴用支柱を下降させると、潅流流量が対応して減少するとともに、眼球における流体圧力が対応して減少する結果となる。
【０００６】
眼球からの流体の吸引流量は典型的に、上記切断用ニードルの吸引用内側ボアと流体連通する吸引ポンプにより調整される。眼球内の手術部位における比較的に一貫した流体圧力を維持すべく、吸引流れは、上記ポンプを制御すべく監視されるとともに、潅流流れとの適切なバランスを達成するために調整される。
【０００７】
水晶体超音波乳化吸引処置の間においては、眼球における一貫した流体圧力が望ましいが、通常的な事象および合併症により、眼球における流体の流れおよび圧力には変動が引き起こされる。たとえば、流量を変化させると、潅流用流体供給源から眼球までの潅流用流体経路における圧力損失が変化することから、(眼圧、すなわちIOPとも称される)前房における圧力の変化を引き起こす結果となる。流量が大きいほど、更に大きな圧力損失および更に低いIOPに帰着する。IOPが低下するにつれ、眼球内の作用空間は減少する。
【０００８】
吸引用ニードルの閉塞もしくは詰まりもまた、水晶体超音波乳化吸引処理の間において眼球における流体圧力に影響する通常の事象および処置技術である。潅流用の流体と、乳化された組織とが、眼球の内部から、中空の切断用ニードルを通して吸引されるとき、そのニードルのボアの直径より大きい組織の断片は、該ニードルの先端を詰まらせることがある。上記先端が詰まる間に、該先端内では真空圧力が蓄積する。眼球の前房における圧力の低下であって、詰まりが排除されるときに眼球から過剰に迅速に吸い出されるべき比較的に大量の流体および組織により引き起こされるという圧力の低下は、可能的に、眼球の倒壊に帰着し、且つ／又は、水晶体被膜を裂開し得る。
【発明の概要】
【発明が解決しようとする課題】
【０００９】
水晶体超音波乳化吸引処理の間において眼球における圧力を制御すべく、且つ、急激な変化を低減すべく、種々の技術が企図されてきた。しかし依然として、変化する流れ条件の全体にわたり安定なIOPを維持する優れた水晶体超音波乳化吸引デバイスに対する要望が在る。本開示内容は、先行技術における欠点の一つ以上に対処する手法に関している。
【課題を解決するための手段】
【００１０】
本発明の原理に一致する一実施形態において、本発明は、手術部位を潅流および吸引する水晶体超音波乳化吸引用流体システムである。該システムは、無菌液リザーバと、上記無菌液リザーバから上記手術部位まで延在すべく構成された潅流経路と、上記手術部位から延在すべく構成された吸引経路とを含む。該システムはまた、上記潅流経路および上記吸引経路の両方に対して組み合わされた単一の流れ制御ポンプ・ヘッドも含む。該流れ制御ポンプ・ヘッドは、潅流用流体を上記手術部位に向けて推進する様式で上記潅流経路を加圧すると同時に、上記手術部位から廃液を真空引きする様式で上記吸引経路を加圧すべく当該システム内に配置される。
【００１１】
本発明の原理に一致する別実施形態において、本発明は、手術部位を潅流および吸引する水晶体超音波乳化吸引用流体システムである。該システムは、上記手術部位まで延在すべく構成された潅流経路と、上記手術部位から延在すべく構成された吸引経路と、上記手術部位までの流体流れを調整すべく構成された制御システムとを含む。上記制御システムは、上記潅流経路および上記吸引経路の両方に対して組み合わされた流れ制御ポンプ・ヘッドを含む。該流れ制御ポンプ・ヘッドは、上記潅流経路および上記吸引経路の両方を通して流体を同時に圧送すべく構成される。上記制御システムはまた、上記潅流経路および吸引経路の少なくとも一方を通る流れを制御すべく構成された少なくとも一つの流れ制御用シャント弁と、上記潅流経路および吸引経路の少なくとも一方における流体のパラメータを検出すべく構成された少なくとも一つのセンサとを含む。上記制御システムはまた、上記流れ制御ポンプ・ヘッド、上記少なくとも一つの流れ制御用シャント弁、および、上記少なくとも一つのセンサに対して接続されたコントローラも含む。該コントローラは、上記少なくとも一つのセンサから検出されたパラメータを表すデータを受信すべく構造的に構成され、該コントローラはまた、上記少なくとも一つのセンサから受信したデータに基づいて制御信号を上記少なくとも一つの流れ制御用シャント弁に対して伝達すべく構造的に配置される。
【００１２】
本発明の原理に一致する別実施形態において、本発明は、水晶体超音波乳化吸引手術用操作卓である。該操作卓は、切断用ニードルを含む超音波振動ハンドピースを備える超音波生成器サブシステムを含む。上記ハンドピースは、眼球内の水晶体を乳化すべく構成される。上記操作卓はまた、流体サブシステムも含む。該流体サブシステムは、無菌液リザーバと、上記超音波振動ハンドピースに対して組み合わされるとともに、上記無菌液リザーバから手術部位まで延在すべく構成された潅流経路と、上記超音波振動ハンドピースに対して組み合わされるとともに、上記手術部位から延在すべく構成された吸引経路とを含む。上記流体サブシステムはまた、上記潅流経路および上記吸引経路の両方に対して組み合わされた単一の蠕動ポンプ・ヘッドも含んでいる。該蠕動ポンプ・ヘッドは、潅流用流体を上記手術部位に向けて推進する様式で上記潅流経路を加圧すべく上記システム内に配置されるとともに、上記手術部位から廃液を真空引きする様式で上記吸引経路内に真空を生成すべく上記システム内に配置される。
【００１３】
本発明の原理に一致する別実施形態において、本発明は、水晶体超音波乳化吸引システムの流体サブシステムを操作する方法である。該方法は、水晶体超音波乳化吸引システムの潅流経路内におけるパラメータを検出する段階と、水晶体超音波乳化吸引システムの吸引経路内におけるパラメータを検出する段階と、上記潅流経路および吸引経路を通る流体流れを、該潅流経路および吸引経路の両方に対して組み合わされた単一の流れ制御ポンプ・ヘッドにより制御する段階とを含む。
【００１４】
上述の概略的な説明、および、以下の詳細な説明はいずれも例示的で説明的であるに過ぎず、権利請求された発明の更なる説明を提供することが意図されることを理解すべきである。以下の説明、ならびに、本発明の実施によれば、本発明の付加的な利点および目的が明示かつ示唆される。
【００１５】
取入れられて本明細書の一部を構成する添付図面は、本発明の幾つかの実施形態を例示するとともに、上記説明と協働して本発明の原理の説明に資する。
【図面の簡単な説明】
【００１６】
【図１】本開示内容の原理に従い潅流および吸引の両方を推進する単一ポンプ式流体システムを含む水晶体超音波乳化吸引用操作卓を示す図である。
【図２】図１の水晶体超音波乳化吸引用操作卓のブロック図であり、本開示内容の原理に従い潅流および吸引の両方を推進する単一ポンプ・ヘッド式流体システムを含む種々のサブシステムを示している。
【図３】本開示内容の原理に従い潅流および吸引の両方を推進する単一のポンプ・ヘッドを有する図１および図２からの流体システムの概略図である。
【図４】本開示内容の原理に従い潅流および吸引の両方を推進する単一ポンプ・ヘッド式流体システムを操作する制御プロセスの流れ図である。
【図５】本開示内容の原理に従い潅流および吸引の両方を推進する単一のポンプ・ヘッドを有する図１および図２の操作卓において使用可能である代替的な流体サブシステムの概略図である。
【図６】本開示内容の原理に従い潅流および吸引の両方を推進する単一のポンプ・ヘッドを有する図１および図２の操作卓において使用可能である別の代替的な流体サブシステムの概略図である。
【図７】本開示内容の原理に従い潅流および吸引の両方を推進する単一のポンプ・ヘッドを有する図１および図２の操作卓において使用可能である更に別の代替的な流体サブシステムの概略図である。
【図８】本開示内容の原理に従い潅流および吸引の両方を推進する単一のポンプ・ヘッドを有する図１および図２の操作卓において使用可能である別の代替的な流体サブシステムの概略図である。
【発明を実施するための形態】
【００１７】
次に、本発明の好適実施形態に対して詳細な参照が為され、その例は添付図面中に例示される。可能である場合は常に、各図を通して同一であるか同様の部材を参照すべく同一の参照番号が使用される。
【００１８】
本明細書中に記述される水晶体超音波乳化吸引システムおよび方法は、単一の流れ制御ポンプ・ヘッドによる乳化処置の間において潅流および吸引の両方を実現し且つ制御する。これらのシステムおよび方法は、正の潅流圧力および負の潅流圧力の独立制御を提供する一方、手術結果を阻害せずに簡素化および効果的な制御を提供し乍ら、製品製造を簡素化し且つ製造コストを低下させる。
【００１９】
これに加え、たとえばニードルの詰まりまたは漏出の間における圧力変動の期間の間、本明細書中に記述されるシステムおよび方法は、これらの変動を補償する。特に、本明細書における各例を参照して以下に記述される如く、潅流経路および吸引経路におけるこれらの圧力変動を補償する様式で、コントローラおよび制御用シャント弁は過剰な流体を再循環させ、または、排出する。故に、本明細書中に開示されるシステムおよび方法は、所定レベルの一貫性および反復性を提供する一方、上記システムの制御を維持することで、十分な手術結果を達成する。
【００２０】
図１は、概略的に100と表される代表的な乳化処理手術用操作卓を示している。図２は、水晶体超音波乳化吸引処置を実施すべく動作する種々のサブシステムを示す操作卓100のブロック図である。操作卓100は、コンピュータ・ユニット103と、乳化処理手術処置の間においてシステムの動作および性能に関するデータを示す関連ディスプレイ画面104とを備える基部ハウジング102を含んでいる。上記操作卓はまた、相互に使用されることで乳化処理手術処置を実施する多数のサブシステムも含んでいる。たとえば、各サブシステムとしては、たとえば足踏みペダル108を含む足踏みペダル・サブシステム106、可撓管材114を通して眼球の潅流および吸引の両方を行う単一の流れ制御ポンプ112を含む流体サブシステム110、切断用ニードルを備える超音波振動ハンドピース118を含む超音波生成器サブシステム116、および、硝子体切除ハンドピース122を含む空気圧式硝子体切除用カッタ・サブシステム120が挙げられる。これらのサブシステムは、重なり合うとともに協働することで、上記処置の種々の見地を実施する。たとえば、幾つかの実施形態において、上記潅流用可撓管材の端部は上記切断用ニードルの回りに配設されることで、該処置の間において、潅流と、カッタおよび組織の冷却とを提供する。これに加え、幾つかの実施形態において、吸引用可撓管材の端部は、上記切断用ニードルに対して組み合わされるとともに、該切断用ニードル内の中空ボアを通して吸引される。
【００２１】
図３は、流体サブシステム110の一部分を示している。それは、流れ制御システム300、無菌液リザーバ302、排液リザーバ304、潅流経路306、および、吸引経路308を含んでいる。流れ制御システム300は、単一の流れ制御ポンプ・ヘッド310、潅流流れ制御用シャント弁312、吸引流れ制御用シャント弁314、潅流圧力センサ316、吸引圧力センサ318、および、コントローラ320を含んでいる。
【００２２】
潅流経路306は、無菌液リザーバ302と、(図３においては“眼球”と表示された)手術部位との間に延在するとともに、リザーバ302から眼球へと無菌流体を搬送する。一例において、上記無菌流体は塩水流体であるが、他の流体が使用され得る。潅流経路306の少なくとも一部分は、可撓管材として形成され得る。幾つかの実施形態において経路306は、複数のセグメントから形成され、幾つかのセグメントは堅固であり且つ他のセグメントは撓曲可能である。幾つかの実施形態において、上記潅流経路の少なくとも一部分は、図１における操作卓100と協働するカセット内に形成されることで、無菌液リザーバ302と患者の眼球との間における流体連通を提供する。上記で示された如く、幾つかの実施形態において、潅流経路306の端部は切断用ニードルの回りに配設されることで、手術処置の間において眼球に対し潅流用流体流れを提供する。図３における潅流経路306は、リザーバ302から眼球に至る流れ方向を表す一連の矢印により表される。
【００２３】
吸引経路308は、手術部位もしくは眼球から、排液リザーバ304まで延在する。吸引経路308は、眼球を洗流すべく使用された流体、ならびに、一切の乳化粒子を運び去る。図３において、潅流経路と同様に、吸引経路308は、眼球から排液リザーバ304に至る流れ方向を示す一連の矢印により表される。此処で、それは影付き矢印により表される。潅流経路に関して上述された如く、吸引経路308の少なくとも一部分は可撓管材で形成され得る。幾つかの実施形態において、経路308は複数のセグメントで形成され、幾つかのセグメントは堅固であり且つ他のセグメントは撓曲可能である。幾つかの実施形態において、吸引経路308の少なくとも一部分は、図１における操作卓100と協働するカセット内に形成されることで、患者の眼球と排液リザーバ304との間における流体連通を提供する。実際、排液リザーバ304が、自己完結式のリザーバの代わりに排出管であり得ることは明らかであるべきである。上記で示された如く、幾つかの実施形態において、上記吸引経路は切断用ニードルのボアと流体連通されるとともに、手術処置の間にニードル・ボアを通して流体および乳化粒子を当該吸引経路308内に吸引すべく使用される。
【００２４】
幾つかの実施形態において、流体システム110は、吸引経路308に沿うよりも、潅流経路306に沿い更に大きな流体体積を提供すべく構成される。このことは、たとえば図３に示された如く、潅流経路においては、吸引経路における流体ラインよりも大径の流体ラインを使用するなどの種々の様式で達成され得る。
【００２５】
単一の流れ制御ポンプ・ヘッド310は、潅流および吸引経路306、308の両方に対して組み合わされる。示された実施形態において上記ポンプ・ヘッドは、潅流経路306および吸引経路308の両方を通して等しいモータ速度にて流体を圧送する様式で動作する。本明細書中に開示された実施形態において、流れ制御ポンプ・ヘッド310は、蠕動(ぜんどう)ポンプであり、更に詳細には、潅流および吸引経路306、308の両方において流体流れを誘起することで両方の経路を通り同一速度にて流体を同時に圧送するローラを有する回転式蠕動ポンプ・ヘッドである。示された実施形態において、ポンプ・ヘッド310は、その動作の速度を表すフィードバック・データを提供すべく構成される。このフィードバックは、上記ポンプを更に制御し、潅流および吸引経路306、308を通る所望の流体流れを提供すべく使用され得る。
【００２６】
潅流および吸引センサ316、318は、夫々、潅流および吸引経路306、308における一切の高圧または真空状態を検出する機能を達成する。幾つかの実施形態において、センサ316、318は、現在の圧力状態を検出すべく構成された圧力センサである。これらのセンサ316、318は、検知された圧力を表す信号をコントローラ320に対して伝達し得る。一旦受信されたなら、コントローラ320は受信信号を処理し、その圧力が、所定の所望のスレッショルド値より高いのか低いのか、または、所定の所望範囲内であるかを決定する。圧力センサとして記述されるが、潅流および吸引圧力センサ316、318は、各センサを通過する実際の流れを検出する流れセンサであって、付加的なパラメータを監視する付加的なセンサを含み得るという他の形式のセンサとされ得る。幾つかの実施形態において、各センサは、それ自体の処理機能を含むとともに、処理されたデータは次にコントローラ320に対して伝達される。
【００２７】
図３を参照すると、上記潅流経路は圧力解放ライン322と連通する。該圧力解放ライン322は、ポンプ・ヘッド310の上方にて、無菌液リザーバ302、または、潅流経路306の一部分のいずれかと流体連通する。使用に際して潅流流れ制御用シャント弁312は、潅流圧力センサ316において不都合な圧力レベルが検出されたときに、潅流経路306からの流体流れを圧力解放ライン322を通して変化させるべく起動され得る。
【００２８】
同様に、吸引経路308は真空圧力解放ライン324と連通される。示された実施形態において、真空圧力解放ライン324は吸引経路308と流体連通することで、眼球とポンプ・ヘッド310との間に付加的流体を引き寄せることで、眼球からの流体流れを変化させる。使用に際して吸引流れ制御用シャント弁314は、吸引圧力センサ318において不都合な真空圧力レベルが検出されたときに、真空解放ライン324から吸引経路308内への流体流れを変化させるべく起動され得る。
【００２９】
潅流および吸引流れ制御用シャント弁312、314は夫々、圧力解放ライン322および真空圧力解放ライン324に対して組み合わされるとともに、潅流および吸引経路306、308における圧力を調整する。従って、潅流および吸引流れ制御用シャント弁312、314は、潅流および吸引経路306、308における流体流れを制御し且つ流体圧力を改変する様式で、これらの経路に対して組み合わされる。幾つかの実施形態において、シャント弁312、314は調節可能な弁であるが、他の弁形式が使用され得る。第1および第2の流れ制御用シャント弁312、314は、手術部位に対して所望の流体流れを提供するために、コントローラ320に対して接続され、且つ、該コントローラにより制御される。
【００３０】
コントローラ320は、プロセッサおよびメモリを含み得るとともに、該コントローラは、所定のプログラムもしくはシーケンスに基づいて流れ制御システム300を制御すべく構成もしくはプログラムされ得る。流れ制御システム300を制御することに加え、コントローラ320は、図２における足踏みペダル・サブシステム106または他のサブシステムと協働し得るとともに、該コントローラは、これらの他のサブシステムから受信したデータもしくは信号に基づいて流れ制御システム300の幾つかの特性を制御し得る。
【００３１】
使用に際してコントローラ320は、潅流および吸引圧力センサ316、318から信号を受信すべく、且つ、該信号を処理することで、検出された各パラメータが事前設定された容認可能な範囲外であるか、または、事前設定された容認可能なスレッショルド値より大きいもしくは小さいかを決定すべく、構成される。受信した信号に基づき、コントローラ320は潅流および吸引流れ制御用シャント弁312、314を制御して解放ライン322、324を通る流れを増大もしくは減少することで、潅流および吸引経路306、308における圧力を所望レベルに維持もしくは調節する。幾つかの実施形態において、コントローラ320はまた、事前設定された命令に基づいて流れ制御ポンプ・ヘッド310も制御する。幾つかの実施形態において、上記ポンプ・ヘッドは、潅流および吸引圧力センサ316、318、および／または、図２における他の各サブシステムの内の任意のサブシステムにより収集されたデータに基づいて制御される。
【００３２】
図４は、水晶体超音波乳化吸引処置の間において流体サブシステム110を制御するためにコントローラ320により実行可能である代表的な制御プロセス400である。該プロセス400は、開始および初期化ステップ402において開始する。ステップ404において、コントローラ320はポンプ・モータ速度を、設定された吸引流量限界値に定める。この設定された吸引流量限界値は、画面上のインタフェース制御ボタン、もしくは、足踏みペダル108、または、両方の組み合わせを介し、ユーザにより定められた値である。この設定値は、上記手術処置に対して十分であるべくユーザにより決定される。ポンプ速度が上記システムを通る流体流れを一旦推進したなら、測定された各圧力と、命令された各圧力と、各シャント弁との間における相互作用が監視かつ制御される。
【００３３】
ステップ406においてコントローラ320は、潅流ライン306における潅流圧力が命令レベルに在るか否かを決定する。潅流圧力は、潅流圧力センサ316により検出される。上記命令レベルは、ユーザにより設定された所望圧力に対応する。ステップ406において、潅流圧力が命令レベルに無ければ、コントローラ320は、流体サブシステム110を制御することで潅流圧力と命令レベルとの間の偏差を修正すべく構成される。これを行うために、ステップ408においてコントローラ320は、検出された潅流圧力を命令圧力と比較し、潅流圧力が命令圧力より大きいか否かを決定する。記述された実施形態において、この決定は、潅流圧力センサ316により獲得されて該センサからコントローラ320に対して伝達された信号もしくはデータを、該コントローラ320内に保存されているユーザ設定と比較することにより行われる。
【００３４】
もし潅流圧力が上記命令圧力より大きければ、ステップ410において上記コントローラは潅流流れ制御用シャント弁312を調節して状態を増進させ、すなわち、更に開いた位置へと調節することにより、上記潅流ライン中の一定の流体流れが圧力解放ライン322内に分路することを許容する。これにより、潅流圧力センサ316および手術部位に向けられる全体的流れの割合は減少されると同時に、圧力解放ライン322を通り流れる流体流れの割合は増大される。手術部位に向かう全体的な潅流流れを減少させる結果、手術部位における流体圧力は減少される。
【００３５】
ステップ408において、潅流圧力が命令圧力より低いなら、ステップ416にてコントローラ320は潅流流れ制御用シャント弁312を制御して状態を減退させ、すなわち、更に閉じた位置へと調節する。これにより、潅流圧力センサ316および手術部位に向けられる全体的流体流れの割合は増大される。同時に、圧力解放ライン322を通り流れる流体流れの割合は減少される。手術部位に向かう全体的な潅流流れを増大させる結果、手術部位における流体圧力は増大される。ステップ410またはステップ412において潅流用シャント弁を調整した後に、上記方法はステップ414へと進展する。
【００３６】
ステップ406に戻り、もし潅流圧力が命令レベルに在るならば、上記方法はステップ414へと進展する。
【００３７】
ステップ414においてコントローラ320は、吸引経路308内の真空圧力が、命令された真空レベルに在るか否かを決定する。上記真空圧力は、吸引圧力センサ318により検出される。上記命令真空レベルは、画面上のインタフェース制御ボタン、もしくは、足踏みペダル108、または、両方の組み合わせを介し、ユーザにより定められた所望入力に対応するレベルである。ステップ414において、真空圧力が命令レベルに無ければ、コントローラ320は、流体サブシステム110を制御することで真空圧力と命令レベルとの間の偏差を修正すべく構成される。これを行うために、ステップ416においてコントローラ320は、検出された真空圧力を命令真空圧力と比較し、真空圧力が命令真空圧力より大きいか否かを決定する。記述された実施形態において、この決定は、吸引圧力センサ318により獲得されて該センサからコントローラ320に対して伝達された信号もしくはデータを、該コントローラ320内に保存されているユーザ設定と比較することにより行われる。
【００３８】
ステップ416において、真空度が命令真空レベルより大きければ、ステップ418においてコントローラ320は吸引流れ制御用シャント弁314を制御して状態を増進させ、すなわち、更に開いた位置へと調節する。これにより、手術部位からの全体的流れの割合は減少されると同時に、圧力解放ライン324から引き寄せられつつある流体流れの割合は増大される。手術部位から直接的に更に少ない流体を引き寄せる結果、吸引圧力センサ318により検出されつつある全体的圧力は増大(され、且つ、真空度が減少)される。
【００３９】
ステップ416において、真空度が命令真空レベルより大きくなければ、ステップ420においてコントローラ320は吸引流れ制御用シャント弁314を制御して状態を減退させ、すなわち、更に閉じた位置へと調節する。これにより、手術部位から引き寄せられつつある全体的流体流れの割合は増大されると同時に、圧力解放ライン324から引き寄せられつつある流体流れの割合は減少される。手術部位から直接的に更に多い流体を引き寄せる結果、吸引圧力センサ318により検出されつつある全体的圧力は減少(され、且つ、真空度が増大)される。
【００４０】
ステップ414に戻ると、真空圧力が命令レベルに在るならば、上記方法はステップ406に戻り、上記潅流用シャント弁を監視して制御する。故に、潅流および吸引圧力センサ316、318からのデータに基づいてコントローラ320が潅流および吸引流れ制御用シャント弁312、314を連続的に制御する如く、記述されたプロセスはステップ406に戻ることにより無限ループとして作用する。
【００４１】
当業者であれば、各シャント弁を制御するとともにポンプ・モータ速度を制御して潅流ラインおよび吸引ラインにおける流れおよび圧力を増大もしくは減少することにより付加的な融通性が達成され得ることを理解しよう。
【００４２】
上述された如く、幾つかの実施形態において上記システムは、手術的に必要であるよりも多い流体を潅流経路306を通して引き寄せるべく配置構成される。それはまた、吸引経路308を通してよりも多い流体を潅流経路306を通して引き寄せるべく配置構成され得る。潅流経路306を通して過剰流体を引き寄せることにより、潅流流れ制御用シャント弁312は連続的に、部分的に開いた状態に維持されることから、連続的に制御され得ることで、上記圧力解放ラインを通る流体流れを増減して潅流経路306における圧力を変化させ得る。故に、上記システムは更に、流量の変化により引き起こされた圧力の変動、詰まり、または、手術部位からの流体の漏出を補償し、または、ユーザ入力に基づいて決められた圧力の変更に応答し得る。これらの変動は典型的に、上記潅流経路および吸引経路の圧力レベルの対応変動を引き起こす。検出された圧力に基づいて流れ制御用シャント弁312、314を制御すると、眼球の崩壊に帰着する合併症の可能性が低減される。
【００４３】
図５は、単一の流れ制御ポンプ・ヘッド310を用いて潅流経路および吸引経路の両方を駆動する流体サブシステム500の一部分の代替的な配置構成を示している。図５における流体システムの多くの要素は、図３における流体システムの要素と同一であり、または、類似している。冗長性を回避するために、これらの共通する要素の説明は此処では反復されない。図５は、潅流経路306、吸引経路308、および、流れ制御用シャント弁312、314を含んでいる。但し、視認され得る如く、図５は、ポンプ・ヘッド310の上方における潅流経路306の如き、無菌液供給源に対して接続された真空圧力解放ライン502を含んでいる。他の実施形態において、上記真空圧力解放ラインは無菌液リザーバ302に対して接続される。従って、流れ制御用シャント弁314を制御すると、上記無菌液供給源から吸引経路308へと許容される流体の量が調節されることで、吸引経路308における圧力の制御が実現される。
【００４４】
図６は、単一の流れ制御ポンプ・ヘッドを用いて潅流経路および吸引経路の両方を駆動する流体サブシステム600の一部分の別の代替的な配置構成を示している。図６における流体システムの多くの要素は、図３における流体システムの要素と同一であり、または、類似している。冗長性を回避するために、これらの共通する要素の説明は此処では反復されない。図６は、潅流経路306、吸引経路308、および、流れ制御用シャント弁312、314を含んでいる。図６において、排液リザーバ304に対しては真空圧力解放ライン602が流体連通する。このことは、図３における真空圧力解放ライン324がポンプ・ヘッド308の上方にて無菌吸引経路324と連通する、という図３と対照的である。使用に際して吸引流れ制御用シャント弁314は、吸引圧力センサ318において不都合な真空圧力レベルが検出されたときに起動され、真空解放ライン602から吸引経路308内への流体流れを許容する。
【００４５】
図７は、単一の流れ制御ポンプ・ヘッド310を用いて潅流経路および吸引経路の両方を駆動する流体サブシステム700の一部分の代替的な配置構成を示している。システム７は、圧力解放ライン322、324が、ポンプ・ヘッド310の上方にて、潅流経路306に対してではなく、無菌液リザーバ302に対して接続されるという点においてのみ、図５におけるシステム500と異なる。流れ制御用シャント弁312、314を制御すると、無菌液供給源302から直接的に引き寄せられる流体の量が調節されることで、潅流および吸引経路306、308における圧力の制御が実現される。
【００４６】
図８は、単一の流れ制御ポンプ・ヘッド310を用いて潅流経路および吸引経路の両方を駆動する流体サブシステム800の一部分の代替的な配置構成を示している。図８における流体システムの多くの要素は、図３における流体システムの要素と同一であり、または、類似している。冗長性を回避するために、これらの共通する要素の説明は此処では反復されない。図８は、潅流経路306および吸引経路308を含んでいる。但し、視認され得る如く、図８は圧力解放ラインを含まない。代わりに図８は、潅流および吸引経路306、308間に延在する単一の解放ライン802を含んでいる。ライン802を通る流れは、流れ制御用シャント弁312により制御される。従って、流れ制御用シャント弁312の状態を変更し、または、それを調節すると、潅流経路および吸引経路の両方における圧力が同時に影響され得る。
【００４７】
幾つかの異なる実施形態が示されたが、一つの実施形態の任意の特徴は、示された他の任意の実施形態に関して使用され得ることを理解すべきである。従って、これらの実施形態の内の任意の実施形態は、溶液リザーバまで、または、流体ラインもしくは経路まで延在する解放ラインを含み得る。幾つかの実施形態において、各解放ラインは、上記ポンプ・ヘッドの近傍において各流体経路に接続される。カセットを使用する実施形態においては、各解放ラインもまた該カセット自体内に含まれ得る。これに加え、幾つかの実施形態が示されたが、各シャント弁、および、各解放ラインの接続箇所の代替的な配置構成を含む更に別の実施形態が企図される。
【００４８】
上記から、本発明は、水晶体超音波乳化吸引手術のための単一ポンプ・ヘッド式潅流／吸引システムを有する流体システムを提供することは理解され得る。
【００４９】
当業者であれば、本明細書を考察するとともに本明細書中に開示された発明を実施すれば本発明の他の実施形態は明らかであろう。本明細書および各実施形態は例示的に過ぎないと考慮され、本発明の真の有効範囲および精神は以下の各請求項により示されることが意図される。
【図１】
2013533013.tif 000003
【図２】
2013533013.tif 000004
【図３】
2013533013.tif 000005
【図４】
2013533013.tif 000006
【図５】
2013533013.tif 000007
【図６】
2013533013.tif 000008
【図７】
2013533013.tif 000009
【図８】
2013533013.tif 000010
【手続補正書】
【提出日】平成25年1月30日(2013.1.30)
【手続補正１】
【補正対象書類名】特許請求の範囲
【補正対象項目名】全文
【補正方法】変更
【補正の内容】
【特許請求の範囲】
【請求項１】
手術部位を潅流および吸引する水晶体超音波乳化吸引用流体システムであって、
無菌液リザーバと、
前記無菌液リザーバから前記手術部位まで延在すべく構成された潅流経路と、
前記手術部位から延在すべく構成された吸引経路と、
前記潅流経路および前記吸引経路の両方に対して組み合わされた単一の流れ制御ポンプ・ヘッドであって、潅流用流体を前記手術部位に向けて推進する様式で前記潅流経路を加圧すると同時に、前記手術部位から廃液を真空引きする様式で前記吸引経路を加圧すべく該流体システム内に配置されるという単一の流れ制御ポンプ・ヘッドとを備える、
水晶体超音波乳化吸引用流体システム。
【請求項２】
前記潅流経路に対して流体的に組み合わされるとともに、該潅流経路における圧力を変化させるべく構成された潅流流れ制御用シャント弁と、
前記吸引経路に対して流体的に組み合わされるとともに、該吸引経路における圧力を変化させるべく構成された吸引流れ制御用シャント弁とを更に備える、請求項１に記載の水晶体超音波乳化吸引用流体システム。
【請求項３】
前記潅流流れ制御用シャント弁および吸引流れ制御用シャント弁に対して接続されたコントローラであって、前記各シャント弁を調整することで、夫々の潅流経路および吸引経路内で事前設定圧力を維持するというコントローラを更に備える、請求項２に記載の水晶体超音波乳化吸引用流体システム。
【請求項４】
前記潅流流れ制御用シャント弁を前記無菌液リザーバに対して接続する圧力解放ラインであって、該流れ制御用シャント弁は、潅流における圧力が所定レベルを超えたときに前記流れ制御ポンプ・ヘッドからの流体流れを制御して当該圧力解放ラインに至らせるべく配置される、という圧力解放ラインを更に備える、請求項２に記載の水晶体超音波乳化吸引用流体システム。
【請求項５】
前記吸引流れ制御用シャント弁を流体供給源および排出管の一方に対して接続する真空圧力解放ラインであって、前記吸引流れ制御用シャント弁は、前記吸引経路における圧力が所定レベル未満に低下したときに当該真空圧力解放ラインからの流体を制御して前記吸引経路に至らせるべく配置される、という真空圧力解放ラインを更に備える、請求項４に記載の水晶体超音波乳化吸引用流体システム。
【請求項６】
前記潅流経路に対して組み合わされるとともに、該潅流経路内における流体のパラメータを検出すべく構成された潅流圧力センサと、
前記吸引経路に対して組み合わされるとともに、該吸引経路内における流体のパラメータを検出すべく構成された吸引圧力センサとを更に備える、請求項１に記載の水晶体超音波乳化吸引用流体システム。
【請求項７】
前記潅流圧力センサおよび吸引圧力センサは、夫々の潅流経路および吸引経路内の圧力を検出すべく配置された圧力センサから成る、請求項６に記載の水晶体超音波乳化吸引用流体システム。
【請求項８】
前記単一の流れ制御ポンプ・ヘッドは、前記潅流経路を通して前記手術部位へ、且つ、該手術部位から前記吸引経路を通し、同一のモータ速度にて流体を導向する蠕動ポンプのヘッドである、請求項１に記載の水晶体超音波乳化吸引用流体システム。
【請求項９】
前記潅流経路と前記吸引経路とを接続する圧力解放ラインを備える、請求項１に記載の水晶体超音波乳化吸引用流体システム。
【請求項１０】
前記流れ制御ポンプ・ヘッドは、同一のモータ速度にて、前記潅流経路および前記吸引経路の両方を通して流体を圧送すべく構成される、請求項１に記載の水晶体超音波乳化吸引用流体システム。
【請求項１１】
手術部位を潅流および吸引する水晶体超音波乳化吸引用流体システムであって、
前記手術部位まで延在すべく構成された潅流経路と、
前記手術部位から延在すべく構成された吸引経路と、
前記手術部位までの流体流れを調整すべく構成された制御システムであって、
前記潅流経路および前記吸引経路の両方に対して組み合わされた流れ制御ポンプ・ヘッドであって、前記潅流経路および前記吸引経路の両方を通して流体を同時に圧送すべく構成されるという流れ制御ポンプ・ヘッドと、
前記潅流経路および吸引経路の少なくとも一方を通る流れを制御すべく構成された少なくとも一つの流れ制御用シャント弁と、
前記潅流経路および吸引経路の少なくとも一方における流体のパラメータを検出すべく構成された少なくとも一つのセンサと、
前記流れ制御ポンプ・ヘッド、前記少なくとも一つの流れ制御用シャント弁、および、前記少なくとも一つのセンサに対して接続されたコントローラであって、該コントローラは、前記少なくとも一つのセンサから検出されたパラメータを表すデータを受信すべく構造的に構成され、該コントローラはまた、前記少なくとも一つのセンサから受信したデータに基づいて制御信号を前記少なくとも一つの流れ制御用シャント弁に対して伝達すべく構造的に配置されるというコントローラと、
を備えるという制御システムと、
を備える、水晶体超音波乳化吸引用流体システム。
【請求項１２】
前記少なくとも一つの流れ制御用シャント弁は、
前記潅流経路を通る流れを制御すべく構成された潅流流れ制御用シャント弁と、
前記吸引経路を通る流れを制御すべく構成された吸引流れ制御用シャント弁とを備える、請求項１１に記載の水晶体超音波乳化吸引用流体システム。
【請求項１３】
前記少なくとも一つのセンサは、
前記潅流経路内における流体のパラメータを検出すべく構成された潅流圧力センサと、
前記吸引経路内における流体のパラメータを検出すべく構成された吸引圧力センサとを備える、請求項１１に記載の水晶体超音波乳化吸引用流体システム。
【請求項１４】
前記潅流圧力センサおよび吸引圧力センサは、夫々の潅流経路および吸引経路内の圧力を検出すべく配置された圧力センサから成る、請求項１３に記載の水晶体超音波乳化吸引用流体システム。
【請求項１５】
無菌液リザーバと、
潅流流れ制御用シャント弁を前記無菌液リザーバに対して接続する圧力解放ラインであって、該潅流流れ制御用シャント弁は、潅流における圧力が所定レベルを超えたときに前記流れ制御ポンプ・ヘッドからの流体流れを制御して当該圧力解放ラインに至らせるべく配置されるという圧力解放ラインとを備える、
請求項１１に記載の水晶体超音波乳化吸引用流体システム。
【請求項１６】
流体供給源および排出管の一方と、
吸引流れ制御用シャント弁を前記流体供給源および排出管の一方に対して接続する真空圧力解放ラインであって、該吸引流れ制御用シャント弁は、前記吸引経路における圧力が所定レベル未満に低下したときに当該真空圧力解放ラインからの流体流れを制御すべく配置される、という真空圧力解放ラインとを更に備える、請求項１１に記載の水晶体超音波乳化吸引用流体システム。
【請求項１７】
切断用ニードルを含む超音波振動ハンドピースであって、眼球内の水晶体を乳化すべく構成されるという超音波振動ハンドピースを備える超音波生成器サブシステムと、
流体サブシステムであって、
無菌液リザーバと、
前記超音波振動ハンドピースに対して組み合わされるとともに、前記無菌液リザーバから手術部位まで延在すべく構成された潅流経路と、
前記超音波振動ハンドピースに対して組み合わされるとともに、前記手術部位から延在すべく構成された吸引経路と、
前記潅流経路および前記吸引経路の両方に対して組み合わされた単一の蠕動ポンプ・ヘッドであって、潅流用流体を前記手術部位に向けて推進する様式で前記潅流経路を加圧すべく該システム内に配置されるとともに、前記手術部位から廃液を真空引きする様式で前記吸引経路内に真空を生成すべく当該システム内に配置されるという単一の蠕動ポンプ・ヘッドとを備える、
という流体サブシステムとを備える、
水晶体超音波乳化吸引手術用操作卓。
【請求項１８】
前記潅流経路に対して組み合わされるとともに、前記蠕動ポンプ・ヘッドの下流に配設された潅流流れ制御用シャント弁と、
前記吸引経路に対して組み合わされるとともに、前記蠕動ポンプ・ヘッドの上流に配設された吸引流れ制御用シャント弁と、
前記潅流経路に対して組み合わされる共に該潅流経路内における流体のパラメータを検出すべく構成された潅流圧力センサであって、前記潅流流れ制御用シャント弁の下流に配設されるという潅流圧力センサと、
前記吸引経路に対して組み合わされるとともに該吸引経路内における流体のパラメータを検出すべく構成された吸引圧力センサであって、前記吸引流れ制御用シャント弁の上流に配設されるという吸引圧力センサと、
前記潅流流れ制御用シャント弁および吸引流れ制御用シャント弁に対して接続されるとともに、前記潅流圧力センサおよび吸引圧力センサに対して接続されたコントローラであって、前記潅流圧力センサおよび吸引圧力センサから情報を受信し、且つ、受信した情報に基づいて前記潅流流れ制御用シャント弁および吸引流れ制御用シャント弁に対して制御信号を送信し、夫々の潅流経路および吸引経路内の圧力変更を行うべく構成されるというコントローラと、
を備える、請求項１７に記載の水晶体超音波乳化吸引手術用操作卓。
【請求項１９】
無菌液リザーバおよび排出管の一方と、
前記潅流流れ制御用シャント弁を前記無菌液リザーバおよび排出管の一方に対して接続する圧力解放ラインであって、前記潅流流れ制御用シャント弁は、潅流における圧力が所定レベルを超えたときに前記蠕動ポンプ・ヘッドから当該圧力解放ラインへと流体を導向すべく配置される、という圧力解放ラインとを備える、請求項１８に記載の水晶体超音波乳化吸引手術用操作卓。
【請求項２０】
流体供給源と、
前記吸引流れ制御用シャント弁を前記流体供給源に対して接続する真空圧力解放ラインであって、前記吸引流れ制御用シャント弁は、前記吸引経路における圧力が所定レベル未満に低下したときに当該真空圧力解放ラインから流体を導向すべく配置される、という真空圧力解放ラインとを更に備える、請求項１８に記載の水晶体超音波乳化吸引手術用操作卓。
【請求項２１】
水晶体超音波乳化吸引システムの潅流経路内におけるパラメータを検出する段階と、
水晶体超音波乳化吸引システムの吸引経路内におけるパラメータを検出する段階と、
前記潅流経路および吸引経路を通る流体流れを、該潅流経路および吸引経路の両方に対して組み合わされた単一の流れ制御ポンプ・ヘッドにより制御する段階とを有する、
水晶体超音波乳化吸引システムの流体サブシステムを操作する方法。
【請求項２２】
前記潅流経路に対して組み合わされた潅流流れ制御用シャント弁の状態を調節して、圧力解放ライン内への流体流れを制御する段階を有する、請求項２１に記載の方法。
【請求項２３】
前記吸引経路に対して組み合わされた吸引流れ制御用シャント弁の状態を調節して、前記吸引経路内への真空圧力解放ラインからの流体流れを制御する段階を有する、請求項２２に記載の方法。
【国際調査報告】
2013533013.tif 000011
2013533013.tif 000012
2013533013.tif 000013